(57)【要約】【課題】  デジタルカメラ機能付き双眼鏡において、デジタルカメラ機能を使って被写体を撮像する場合に、手ブレの少ない保持状態を確保する装置を提供する。【解決手段】  デジタルカメラ機能付き双眼鏡は撮像素子を備える。撮像素子の撮像面に光学像を結像させる撮像系対物光学系を備える。観察光学系を前面側に接眼光学系を背面側に有する観察光学系を備える。撮像素子により撮像された画像を表示する表示面が上面又は下面に配置される画像表示装置を備える。撮像素子及び前記撮像光学系が取り付けられた撮像ブロックを、撮像素子の撮像面の法線が観察光学系の第１、第２光軸のそれぞれと平行になり且つ撮像面が前面側を向く第１位置と、撮像面の法線が第１、第２光軸を含む平面と一定の角度をなす第２位置とに切り換える撮像ブロック方向切り換え装置を備える。【選択図】      図５
2005099312.tif 000002
【特許請求の範囲】
【請求項１】
撮像素子と、
前記撮像素子の撮像面に光学像を結像させる撮像光学系と、
一対の観察系対物光学系を前面側に一対の接眼光学系を背面側に有する一対の観察光学系と、
前記撮像素子により撮像された画像を表示する表示面が上面又は下面に配置される画像表示装置と、
前記撮像素子及び前記撮像光学系が取り付けられた撮像ブロックを、前記撮像素子の撮像面の法線が前記一対の観察光学系の第１、第２光軸のそれぞれと平行になり且つ前記撮像面が前記前面側を向く第１位置と、前記撮像面の法線が前記第１、第２光軸を含む平面と一定の角度をなす第２位置とに切り換える撮像ブロック方向切り換え装置とを備えたことを特徴とするデジタルカメラ機能付き双眼鏡。
【請求項２】
使用者が前記表示面を観察する時に、使用者の視線と前記表示面の法線が平行になるように、前記表示面が前記第１、第２光軸を含む平面と平行な位置又は前記平行に対して傾斜をつけた位置で前記上面または下面に配置されることを特徴とする請求項１に記載のデジタルカメラ機能付き双眼鏡。
【請求項３】
前記第１位置における前記撮像面の法線上に配置されたテレコンバータレンズを有し、前記撮像ブロックが第１位置にあるときは、前記テレコンバータレンズと前記撮像光学系とを通過した光束が前記撮像面に光学像が結像することを特徴とする請求項１に記載のデジタルカメラ機能付き双眼鏡。
【請求項４】
前記第２位置における前記撮像面の法線上に配置されたワイドコンバータレンズを有し、前記撮像ブロックが第２位置にあるときは、前記ワイドコンバータレンズと前記撮像光学系とを通過した光束が前記撮像面に光学像が結像することを特徴とする請求項１に記載のデジタルカメラ機能付き双眼鏡。
【請求項５】
前記一定の角度は９０度であることを特徴とする請求項１に記載のデジタルカメラ機能付き双眼鏡。
【請求項６】
前記撮像ブロックが前記第２位置にあるときは、前記撮像面が前記下面を向くことを特徴とする請求項１に記載のデジタルカメラ付き双眼鏡。
【請求項７】
前記撮像ブロック方向切り換え装置は、前記撮像ブロックを前記第１位置と前記第２位置の間を回動させる回動式ダイヤルを有することを特徴とする請求項１に記載のデジタルカメラ機能付き双眼鏡。
【請求項８】
前記撮像ブロック方向切り換え装置は、前記撮像ブロックの少なくとも一部が第１位置にあることを検出する撮像ブロック方向検出スイッチを有することを特徴とする請求項７に記載のデジタルカメラ機能付き双眼鏡。
【請求項９】
前記撮像ブロックが前記第２位置にあるときは、前記撮像光学系により撮像された画像の上下方向を１８０度回転させた画像データを記録する画像データ記録装置を備えたことを特徴とする請求項１に記載のデジタルカメラ機能付き双眼鏡。
【請求項１０】
前記撮像光学系で静止画像を取り込むレリーズボタンが、前記上面かつ前記一対の観察系接眼レンズのうち右目で使用される接眼レンズ近傍に配置されることを特徴とする請求項１に記載のデジタルカメラ機能付き双眼鏡。
【請求項１１】
前記画像表示装置は、前記撮像ブロックが前記第１位置にあるときは前記前面側が上向きに、前記第２位置にあるときは前記背面側が上向きになるように撮影日時などの情報表示を行うことを特徴とする請求項１に記載のデジタルカメラ機能付き双眼鏡。
【発明の詳細な説明】
【技術分野】
【０００１】
本発明は、デジタルカメラ機能付き双眼鏡に関し、特に、デジタルカメラ機能を使った撮影時のホールディングを安定にする装置に関する。
【背景技術】
【０００２】
デジタルカメラ機能付き光学機器として、デジタルカメラ機能付き双眼鏡が知られている。デジタルカメラ機能付き双眼鏡では、接眼レンズを通して複眼視される画像と略同一の画像を液晶に表示し、及びデジタル画像として記録可能であり、特許文献１の装置は、これを開示している。
【特許文献１】特開２００１−２８１５５５号公報
【発明の開示】
【発明が解決しようとする課題】
【０００３】
しかし、特許文献１は、画像の記録に際して、従来の双眼鏡を使用するスタイルで双眼鏡を保持しながら行う。すなわち使用者の両手で双眼鏡の側面部を保持し、両目で接眼レンズを覗き撮像する被写体像を特定し、レリーズボタンを押下する。かかる保持状態は、接眼レンズを覗きながら遠くの距離にある被写体を観察するには適しているが、レリーズボタンの押下など画像の記録時には使用者の両脇が開くので通常のカメラの保持状態に比べて手ブレが生じる可能性が高い。
【０００４】
したがって本発明の目的は、デジタルカメラ機能付き双眼鏡において、デジタルカメラ機能を使って被写体を撮像する場合に、手ブレの少ない保持状態を確保する装置を提供することである。
【課題を解決するための手段】
【０００５】
本発明に係るデジタルカメラ機能付き双眼鏡は、撮像素子と、撮像素子の撮像面に光学像を結像させる撮像光学系と、一対の観察系対物光学系を前面側に一対の接眼光学系を背面側に有する一対の観察光学系と、撮像素子により撮像された画像を表示する表示面が上面又は下面に配置される画像表示装置と、撮像素子及び前記撮像光学系が取り付けられた撮像ブロックを、撮像素子の撮像面の法線が一対の観察光学系の第１、第２光軸のそれぞれと平行になり且つ撮像面が前面側を向く第１位置と、撮像面の法線が第１、第２光軸を含む平面と一定の角度をなす第２位置とに切り換える撮像ブロック方向切り換え装置とを備える。これにより、従来の双眼鏡の保持状態での被写体の撮像に加え、比較的手ブレの可能性の少ない従来のカメラの保持状態での被写体の撮像が可能になる。
【０００６】
好ましくは、使用者が前記表示面を観察する時に、使用者の視線と表示面の法線が平行になるように、表示面が第１、第２光軸を含む平面と平行な位置又は平行に対して傾斜をつけた位置で上面または下面に配置される。
【０００７】
また、好ましくは、第１位置における撮像面の法線上に配置されたテレコンバータレンズを有し、撮像ブロックが第１位置にあるときは、テレコンバータレンズと撮像光学系とを通過した光束が撮像面に光学像が結像する。これにより、第１位置のような従来の双眼鏡の保持状態においては、比較的焦点距離の長い位置にある被写体を撮像するのに適し、第２位置のような従来のカメラの保持状態においては、比較的焦点距離の短い位置にある被写体を撮像するのに適する。
【０００８】
また、好ましくは、第２位置における撮像面の法線上に配置されたワイドコンバータレンズを有し、撮像ブロックが第２位置にあるときは、ワイドコンバータレンズと撮像光学系とを通過した光束が撮像面に光学像が結像する。これにより、第１位置のような従来の双眼鏡の保持状態においては、比較的焦点距離の長い位置にある被写体を撮像するのに適し、第２位置のような従来のカメラの保持状態においては、比較的焦点距離の短い位置にある被写体を撮像するのに適する。
【０００９】
また、好ましくは、一定の角度は９０度である。
【００１０】
さらに好ましくは、撮像ブロックが第２位置にあるときは、撮像面が下面を向く。
【００１１】
また、好ましくは、撮像ブロック方向切り換え装置は、撮像ブロックを第１位置と第２位置の間を回動させる回動式ダイヤルを有する。これにより、第１位置と第２位置の切り換えが容易になる。
【００１２】
さらに好ましくは、撮像ブロック方向切り換え装置は、撮像ブロックの少なくとも一部が第１位置にあることを検出する撮像ブロック方向検出スイッチを有する。これにより、撮像ブロックが第１位置にあるか否かを判別することが可能になる。
【００１３】
また、好ましくは、撮像ブロックが第２位置にあるときは、撮像光学系により撮像された画像の上下方向を１８０度回転させた画像データを記録する画像データ記録装置を備える。これにより、それぞれの保持状態における画面データの記録が上下揃った状態で行われる。
【００１４】
また、好ましくは、撮像光学系で静止画像を取り込むレリーズボタンが、上面かつ一対の観察系接眼レンズのうち右目で使用される接眼レンズ近傍に配置される。これにより、従来の双眼鏡の保持状態の場合には右手の人差し指で、従来のカメラの保持状態の場合には左手の親指でレリーズボタンの押下が可能になる。
【００１５】
また、好ましくは、画像表示装置は、撮像ブロックが第１位置にあるときは前面側が上向きに、第２位置にあるときは背面側が上向きになるように撮影日時などの情報表示を行う。これにより、それぞれの保持状態における情報表示が使用者の視線の上下方向と合うように行われる。
【発明の効果】
【００１６】
以上のように本発明によれば、デジタルカメラ機能付き双眼鏡において、デジタルカメラ機能を使って被写体を撮像する場合に、手ブレの少ない保持状態を確保する装置を提供することができる。
【発明を実施するための最良の形態】
【００１７】
以下、本発明の実施形態について、図を用いて説明する。まず、第１の実施形態について説明する。図１は、第１の実施形態であるデジタルカメラ機能付き双眼鏡１の外観を示す観察系接眼レンズ側上方からみた斜視図である。図２は、観察系接眼レンズ下方からみた斜視図である。図３は、観察系対物レンズ上方からみた斜視図である。
【００１８】
双眼鏡１の前面側には観察系対物光学系を構成する一対の観察系対物レンズ１０Ｒ、１０Ｌが、背面側には、接眼光学系を構成する一対の観察系接眼レンズ１１Ｒ、１１Ｌが設けられている。双眼鏡１を使って被写体を観察する場合、観察系対物レンズ１０Ｒ、１０Ｌ、及び観察系接眼レンズ１１Ｒ、１１Ｌを介して被写体の虚像を観察する。
【００１９】
また、双眼鏡１の前面側には、テレコンバータレンズ３２Ｔが配置されている。テレコンバータレンズ３２Ｔの光軸ＸＴは、観察系対物レンズ１０Ｒ、１０Ｌの光軸ＸＲ、ＸＬの中間に配置され、観察光学系で複眼視される画像と略同一の画像が後述する撮像ブロック２１で撮像される。すなわち、テレコンバータレンズ３２Ｔは、その光軸ＸＴが後述する撮像レンズ２１Ｌの光軸ＸＭと一致させられた時に、撮像光学系の倍率と観察光学系の倍率とが対応するように撮像レンズ２１Ｌの焦点距離を長くする。
【００２０】
双眼鏡１の上面の略中央には、撮像光学系により撮像された画像を上面側に表示するＬＣＤなどの画像表示装置１２が設けられている。画像表示装置１２は、双眼鏡１の上面に表示面１２ｆが上向きになるように配設されている。使用者は双眼鏡１の観察系接眼レンズ１１Ｒ、１１Ｌ側上方からその表示面１２ｆを観察し、または観察系対物レンズ１０Ｒ、１０Ｌを上に観察系接眼レンズ１１Ｒ、１１Ｌを下にして使用者が双眼鏡１の表示画面を水平方向に観察する。画像表示装置１２の表示画面は、後述する撮像ブロック２１によって撮像された画像の表示の他、撮影日時や撮影枚数などの情報表示が行われる。また情報表示が映し出される画面は、上下方向を１８０度回転させて表示させることが可能である。後述する第１、第２の使用形態によって、双眼鏡１の使用される向きが異なってくることに対応するものである。画像表示装置１２の手前（図１において）には合焦のための転輪１３が設けられる。
【００２１】
画像表示装置１２の表示面１２ｆは、一対の横辺１２ｈと一対の縦辺１２ｖで囲まれる矩形であり、横辺１２ｈは双眼鏡１の前面側及び背面側に位置し、縦辺１２ｖは双眼鏡１の側面側に位置する。縦辺１２ｖのそれぞれは、観察系対物レンズ１０Ｒ、１０Ｌの光軸ＸＲ、ＸＬとほぼ平行な位置関係にある。
【００２２】
画像表示装置１２は、使用者が表示面１２ｆを観察する時に、使用者の視線と表示面１２ｆの法線が平行になるように、表示面１２ｆが観察系対物レンズ１０Ｒ、１０Ｌの光軸ＸＲ、ＸＬを含む平面と平行な位置又はこの平行な位置に対して傾斜をつけた位置で上面に配置される。また、画像表示装置１２は、双眼鏡１の上面に配置されるとして以下の説明をするが、下面でかつ後述する撮像ブロック２１と重ならない位置に配置されてもよい。
【００２３】
双眼鏡１の下面の略中央内部には、ＣＣＤなどの撮像素子２１Ｓ及び撮像レンズ２１Ｌを有する撮像ブロック２１が設けられている。撮像ブロック２１には回動式のダイヤル２１ａが設けられており、ダイヤル２１ａの回動により、撮像ブロック２１が回動される。ダイヤル２１ａは、観察系対物レンズ１０Ｒ、１０Ｌの光軸ＸＲ、ＸＬを含む平面と直交する形で配設される。光軸ＸＲ、ＸＬを含む平面上をダイヤル２１ａが回動することにより、撮像ブロック２１は、撮像レンズ２１Ｌの光軸ＸＭが観察系対物レンズ１０Ｒ、１０Ｌの光軸ＸＲ、ＸＬと平行になる第１位置、又は撮像レンズ２１Ｌの光軸ＸＭが観察系対物レンズ１０Ｒ、１０Ｌの光軸ＸＲ、ＸＬを含む平面と一定の角度をなす第２位置に配置される。一定の角度は９０度であるのが望ましいが、撮像素子２１Ｓの撮像面が下面側（画像表示装置１２がある上面の反対面）を向く限り９０度前後の角度であってもよい。撮像ブロック２１が第１位置にあるときは、撮像レンズ２１Ｌの光軸ＸＭがテレコンバータレンズ３２Ｔの光軸ＸＴと一致し、これらテレコンバータレンズ３２Ｔと撮像レンズ２１Ｌとで撮像光学系が構成され、テレコンバータレンズ３２Ｔにより撮像レンズ２１Ｌの焦点距離が長くなって、観察光学系の観察像と同じ倍率で光学像が撮像素子２１Ｓ上に結像する。撮像ブロック２１が第２位置にあるときは、撮像レンズ２１Ｌ単独で被写体を撮像する。図２は、撮像ブロック２１が第２位置にある状態を示している。なお、撮像光学系は、パンフォーカスであるとして説明する。
【００２４】
第１、第２位置の特定は、撮像ブロック方向検出スイッチ３３によって行われる。これを図４、図５を使って説明する。図４は、撮像ブロック２１が第１位置にあるときの双眼鏡１の内部の主な構成図を示す。図５は、撮像ブロック２１が第２位置にあるときの双眼鏡１の内部の主な構成図を示す。撮像ブロック方向検出スイッチ３３は、撮像ブロック２１の一部を構成する接点２１ｂと接するか否かによって、撮像ブロック２１が第１、第２位置のいずれの位置にあるかを特定する。図４のように、接点２１ｂが撮像ブロック方向検出スイッチ３３と接していない場合は、撮像ブロック２１は第１位置にあるとプロセッサ２３に判断され、図５のように、接点２１ｂが撮像ブロック方向検出スイッチ３３と接している場合は、撮像ブロック２１は第２位置にあるとプロセッサ２３に判断される。
【００２５】
双眼鏡１の上面右手前側にはレリーズボタン１４が設けられる。具体的には、レリーズボタン１４は、双眼鏡１の上面（画像表示装置１２がある面）にあって、かつ右観察系接眼レンズ１１Ｒ近傍に配置される。レリーズボタン１４の後側（前面寄りすなわち対物レンズ１０Ｒ寄り）には、各種の操作時に使用されるメニューキー１５、ディスプレイボタン１６、及び上下左右方向に対応する４つの矢印キー１７Ｕ、１７Ｄ、１７Ｌ、１７Ｒと、これらに囲まれるＯＫキー１８とが設けられる。また、双眼鏡１の一方側面には、メモリーカード等の記録媒体Ｍを挿入するためのカードスロット１９が設けられる。
【００２６】
次に、撮像ブロックで撮像された被写体像が画像表示装置１２に表示される処理を、図６の回路ブロック図を使って説明する。撮像ブロック２１内の撮像レンズ２１Ｌを介して入射された被写体像は、撮像ブロック２１内のＣＣＤなどの撮像素子２１Ｓで結像され、画像信号として検出される。撮像ブロック２１では、検出された画像信号に対してＣＣＤプロセス処理などの所定の信号処理が施される。その後画像信号はキャプチャ回路２２を介してプロセッサ２３に送られる。
【００２７】
キャプチャ回路２２は、撮像ブロック２１からの画像信号（画像データ）をレリーズボタン１４の操作に応じて一時的に保存する回路である。例えば、撮像素子２１Ｓで撮像された画像を画像表示装置１２にスルー画像として表示する場合には、間引きした画像信号を随時プロセッサ２３に出力し、バスＢＳを介して画像表示装置１２に動画として表示する。レリーズボタン１４が操作されると、例えば間引きを行っていない画像データを図示しないメモリに一時的に保存する。
【００２８】
キャプチャ回路２２に保存された画像データは、プロセッサ２３及びバスＢＳを介して画像表示装置１２に静止画像として表示される。なお、撮像ブロック２１、キャプチャ回路２２は、タイミングジェネレータ２４からの同期信号により制御され、タイミングジェネレータ２４は、プロセッサ２３により制御される。また、レリーズボタン１４等を含むスイッチ群２５、及びスピーカ３０は、例えばバスＢＳを介してプロセッサ２３に接続される。
【００２９】
また、プロセッサ２３には、Ｉ／Ｏコントロール回路２６が接続され、Ｉ／Ｏコントロール回路２６には、記録媒体制御回路２７が接続される。記録媒体制御回路２７は、ＩＣメモリカード等の記録媒体Ｍがカードスロット１９を介して着脱自在に装着される記録媒体装着部２７ａを有しており、記録媒体装着部２７ａに装着された記録媒体Ｍの記憶容量やファイル階層、現在の空き領域を認識するとともに、記録媒体Ｍへのデータの書き込みや、記録媒体Ｍからのデータの読み出しが行われる。例えば記録媒体Ｍの空き領域には、撮影され、キャプチャ回路２２に一時的に保存された画像データがプロセッサ２３、Ｉ／Ｏコントロール回路２６、記録媒体制御回路２７を介して書き込まれる。後述する第２の使用形態においては、画像データの記録媒体Ｍへの書き込みは、画像の上下方向を１８０度回転させた状態で行われる。
【００３０】
また、例えば記録媒体Ｍに記録されている画像データは、記録媒体制御回路２７、Ｉ／Ｏコントロール回路２６、プロセッサ２３、バスＢＳを介してＷＯＲＫＲＡＭ２８に転送することが可能である。なお、プロセッサ２３は、ＲＯＭ２９に記録されたシステムプログラムに従って駆動される。
【００３１】
双眼鏡１は、ダイヤル２１ａの回動により、２種類の使用形態で被写体を撮像することができる。第１の使用形態は、撮像ブロック２１が第１位置の状態にある場合で、第２の使用形態は、撮像ブロック２１が第２位置の状態にある場合である。
【００３２】
第１の使用形態において、使用者は、被写体を観察系対物レンズ１０Ｒ、１０Ｌ、観察系接眼レンズ１１Ｒ、１１Ｌを通して観察しながら撮像を行う（図１参照）。通常の双眼鏡の使用と同じように、双眼鏡１の上面（画像表示装置１２のある面）を上にし、観察系対物レンズ１０Ｒ、１０Ｌを被写体に向け、接眼レンズ１１Ｒ、１１Ｌを使用者の両目に当て、使用者の両手又は片手で双眼鏡１の上面から側面にかけた部分を保持して使用する。レリーズボタン１４は、使用者の右手、特に人差し指で操作する。撮像レンズ２１Ｌとテレコンバータレンズ３２Ｔの組み合わされた焦点距離はほぼ同程度に設定されているので、観察光学系で複眼視される画像と略同一の画像を撮像ブロック２１で撮像することができる。撮像光学系はパンフォーカスであるため、撮像光学系に関する合焦動作は不要である。また、撮像した結果得られたデジタル画像は、画像表示装置１２に映し出されるので、撮像後に画像の確認が可能である。第１の使用形態では、通常の双眼鏡と同様に比較的遠距離の被写体を観察しながら撮像を行うシーンに適している。また、双眼鏡１の保持は、通常の双眼鏡と同様に行え、さらに同じ保持状態を保ちながらレリーズボタン１４の操作が行える。但し、従来のデジタルカメラ機能付き双眼鏡と同様、手ブレが生じる可能性が高い。
【００３３】
第２の使用形態において、使用者は、被写体を撮像レンズ２１Ｌ、撮像ブロック２１、及び画像表示装置１２を通して観察しながら撮像を行う（図７参照）。この場合、観察系接眼レンズ１１Ｒ、１１Ｌなど観察光学系は使用せず、撮像ブロック２１など撮像光学系だけで観察及び撮像を行う。具体的には、通常のデジタルカメラの使用と同じように、背面（接眼レンズ１１Ｒ、１１Ｌのある面）を上にし、双眼鏡１の下面（画像表示装置１２のある面の反対側の面）に向いた撮像レンズ２１Ｌを被写体に向け、画像表示装置１２を使用者側に向け、使用者の両手又は片手で双眼鏡１の上面から側面、下面にかけた部分や前面（観察系対物レンズ１０Ｒ、１０Ｌのある面）を保持して使用する。レリーズボタン１４は、使用者の左手、特に親指で操作する。第２の使用形態では、テレコンバータレンズ３２Ｔは使用されないので、通常のデジタルカメラと同様に比較的近距離の被写体を観察しながら撮像を行うシーンに適している。また双眼鏡１の保持は、通常のデジタルカメラと同様に行えるので撮像時に手ブレが生じる可能性が低い。
【００３４】
また、テレコンバータレンズ３２Ｔはその光軸ＸＴが観察光学系の光軸ＸＲ、ＸＬの方向に沿う方向に配置されている。第２使用形態のときには、撮像ブロック２１が回動し光軸ＸＭがテレコンバータレンズ３２Ｔから退避して、撮像レンズ２１Ｌ単体の撮像光学系となる。従って、このような切り換え機構を設けても、双眼鏡の厚さを増すことはない。
【００３５】
第２の使用形態における画像表示装置１２は、撮像された画像については第１の使用形態における画像表示装置１２の表示画面と同じ表示制御でよいが、情報表示については第１の使用形態における画像表示装置１２の表示画面と上下方向を１８０度回転させた状態で表示制御する。
【００３６】
第２の使用形態において画像データを記録媒体Ｍに記録する場合は、プロセッサ２３は、キャプチャ回路２２に一時的に保存された画像データの配列方向を反転させて、画像の上下方向が１８０度回転した画像データとし、この反転画像データを記録媒体制御回路２７を介して記録媒体Ｍに記録する。画像記録時における記録動作の反転切り換えは、撮像ブロック方向検出スイッチ３３と接点２１ｂの接触状況に対応してプロセッサ２３が行う。
【００３７】
次に第２の実施形態について説明する。第１の実施形態では、第１の使用形態のときに撮像レンズ２１Ｌの光軸ＸＭとその光軸ＸＴが一致するテレコンバータレンズ３２Ｔが設けられていたが、第２の実施形態では、テレコンバータレンズ３２Ｔは無く、第２の使用形態のときに撮像レンズの光軸ＸＭとその光軸ＸＷが一致するワイドコンバータレンズ３２Ｗが設けられる。他の構成は第１の実施形態と変わらない。図８は、第２の実施形態における第１の使用形態を示す双眼鏡１の構成図であり、図９は、第２の実施形態における第２の使用形態を示す双眼鏡１の構成図である。
【００３８】
第２の実施形態においては、第１の実施形態とは逆に、第２の使用形態のときに、撮像レンズ２１Ｌの前にワイドコンバータレンズ３２Ｗが入って、撮像光学系の焦点距離を短くして、通常のデジタルカメラの使用に適した撮影画角に広げる。ワイドコンバータレンズ３２Ｗはその光軸ＸＷが観察光学系の光軸ＸＲ、ＸＬを含む平面と直交する方向に配置されている。第１の使用形態のときは、撮像ブロック２１が回動し光軸ＸＭがワイドコンバータレンズ３２Ｗから退避して、撮像レンズ２１Ｌ単体の撮像光学系となる。
【００３９】
なお、第１、第２の実施形態では、テレコンバータレンズ３２Ｔまたはワイドコンバータレンズ３２Ｗは固定され、撮像ブロック２１だけが回動される形態を説明したが、撮像ブロック２１と共にテレコンバータレンズ３２Ｔまたはワイドコンバータレンズ３２Ｗも回動する形態であってもよい。
【図面の簡単な説明】
【００４０】
【図１】第１の実施形態であるデジタルカメラ機能付き双眼鏡の外観を示す観察系接眼レンズ側上方からみた斜視図である。
【図２】観察系接眼レンズ下方からみた斜視図である。
【図３】観察系対物レンズ上方からみた斜視図である。
【図４】第１の実施形態における第１の使用形態を示す双眼鏡の内部の主な構成図である。
【図５】第１の実施形態における第２の使用形態を示す双眼鏡の内部の主な構成図を示す。
【図６】双眼鏡の回路ブロック図である。
【図７】双眼鏡の第１の実施形態における第２の使用形態を示す斜視図である。
【図８】第２の実施形態における第１の使用形態を示す双眼鏡の内部の主な構成図である。
【図９】第２の実施形態における第２の使用形態を示す双眼鏡の内部の主な構成図を示す。
【符号の説明】
【００４１】
１０Ｒ、１０Ｌ  観察系対物レンズ
１１Ｒ、１１Ｌ  観察系接眼レンズ
１２  画像表示装置
１３  転輪
１４  レリーズボタン
２１  撮像ブロック
２１ａ  ダイヤル
２１ｂ  接点
２１Ｌ  撮像レンズ
２１Ｓ  撮像素子
３２Ｔ  テレコンバータレンズ
３２Ｗ  ワイドコンバータレンズ
３３    撮像ブロック方向検出スイッチ
【図１】
2005099312.tif 000003
【図２】
2005099312.tif 000004
【図３】
2005099312.tif 000005
【図４】
2005099312.tif 000006
【図５】
2005099312.tif 000007
【図６】
2005099312.tif 000008
【図７】
2005099312.tif 000009
【図８】
2005099312.tif 000010
【図９】
2005099312.tif 000011